(57)【特許請求の範囲】
【請求項１】
外部機器との間で非接触通信を行う非接触ＩＣユニットを有した携帯端末装置であって、
前記非接触ＩＣユニットを構成するアンテナの配置位置の近傍に設けられた所定ユニット構成部品が外界から保護されているか否かを判別する判別手段と、
この判別手段によって所定ユニット構成部品が保護されていないことが判別された場合に、前記非接触ＩＣユニットの非接触通信動作を無効に設定する設定手段と、
を具備したことを特徴とする携帯端末装置。
【請求項２】
前記設定手段によって前記非接触ＩＣユニットの非接触通信動作が無効に設定されている状態を報知する報知手段を更に設けた、
ことを特徴とする請求項１記載の携帯端末装置。
【請求項３】
前記所定ユニット構成部品を外界から保護する保護カバーを有し、
前記判別手段は、前記所定ユニット構成部品が前記保護カバーによって保護されているか否かを判別し、
前記設定手段は、前記判別手段による判別結果、前記保護カバーによって所定ユニット構成部品が保護されていなければ、前記非接触ＩＣユニットの非接触通信動作を無効に設定し、前記保護カバーによって所定ユニット構成部品が保護されていれば、前記非接触ＩＣユニットの非接触通信動作を有効に設定する、
ようにしたことを特徴とする請求項１記載の携帯端末装置。
【請求項４】
前記非接触ＩＣユニットの非接触通信動作に先立って外部機器からの電磁誘導で当該非接触ＩＣユニットが起動された際に、前記判別手段は、前記所定ユニット構成部品が保護されているか否かを判別する、
ようにしたことを特徴とする請求項１記載の携帯端末装置。
【請求項５】
前記非接触ＩＣユニットを電子マネー機能として使用する場合に、電子マネーに関連するユーザ操作が行われた際に、前記判別手段は、前記所定ユニット構成部品が保護されているか否かを判別する、
ようにしたことを特徴とする請求項１記載の携帯端末装置。
【請求項６】
前記所定ユニット構成部品の保護は、当該ユニットを覆う保護カバーによる保護、突出状態にある当該ユニットを引き込むことによる保護の何れかである、
ことを特徴とする請求項１記載の携帯端末装置。
【請求項７】
外部機器との間で非接触通信を行う非接触ＩＣユニットを有した携帯端末装置であって、
前記非接触ＩＣユニットを構成するアンテナの配置位置の近傍に設けられた所定ユニット構成部品が外界から保護されているか否かを判別する判別手段と、
この判別手段によって所定ユニット構成部品が保護されていないことが判別された場合において所定状態が検出された際に、前記所定ユニット構成部品を保護する動作を開始する制御手段と、
を具備したことを特徴とする携帯端末装置。
【請求項８】
前記所定状態の検出は、外部機器からの電磁誘導による前記非接触ＩＣユニットの起動、ユーザ操作による前記非接触ＩＣユニットの起動の何れかである、
ことを特徴とする請求項７記載の携帯端末装置。
【請求項９】
前記所定状態の検出は、当該端末装置本体が手で把持されている状態において端末装置本体が下側に向けられたことの検出、端末装置本体が振り下げられたときの加速度変化の検出のうち、少なくともその何れかである、
ことを特徴とする請求項７記載の携帯端末装置。
【請求項１０】
前記所定ユニット構成部品を保護する動作は、当該ユニットを覆う保護カバーを駆動させて保護する動作、突出状態にある当該ユニットを引き込んで保護する動作の何れかである、
ことを特徴とする請求項７記載の携帯端末装置。
【請求項１１】
外部機器との間で非接触通信を行う非接触ＩＣユニットを有した携帯端末装置であって、
前記非接触ＩＣユニットとその近傍に設けられた所定ユニット構成部品との何れか一方を選択的に覆い、かつ、電磁波の透過を防止する電磁波シールド部材によって構成された保護カバーが前記非接触ＩＣユニットを覆っているか、前記所定ユニット構成部品を覆っているかを判別する判別手段と、
この判別手段による判別結果に応じた処理を実行する処理実行手段と、
を具備したことを特徴とする携帯端末装置。
【請求項１２】
コンピュータに対して、
外部機器との間で非接触通信を行う非接触ＩＣユニットを構成するアンテナの配置位置の近傍に設けられた所定ユニット構成部品が外界から保護されているか否かを判別する機能と、
前記所定ユニット構成部品が保護されていないことが判別された場合に、前記非接触ＩＣユニットの非接触通信動作を無効に設定する機能と、
を実現させるためのプログラム。
【請求項１３】
コンピュータに対して、
外部機器との間で非接触通信を行う非接触ＩＣユニットを構成するアンテナの配置位置の近傍に設けられた所定ユニット構成部品が外界から保護されているか否かを判別する機能と、
前記所定ユニット構成部品が保護されていないことが判別されている場合において所定状態が検出された際に、前記所定ユニット構成部品を保護する動作を開始する機能と、
を実現させるためのプログラム。
【請求項１４】
コンピュータに対して、
外部機器との間で非接触通信を行う非接触ＩＣユニットとその近傍に設けられた所定ユニット構成部品との何れか一方を選択的に覆い、かつ、電磁波の透過を防止する電磁波シールド部材によって構成された保護カバーが前記非接触ＩＣユニットを覆っているか、前記所定ユニット構成部品を覆っているかを判別する機能と、
この判別結果に応じた処理を実行する機能と、
を実現させるためのプログラム。
【発明の詳細な説明】
【技術分野】
【０００１】
この発明は、外部機器との間で非接触通信を行う非接触ＩＣユニットを有した携帯端末装置及びプログラムに関する。
【背景技術】
【０００２】
従来、携帯端末装置としての携帯電話装置には、カメラ機能が標準装備されているほか、外部機器との間で非接触通信を行う非接触ＩＣユニット、つまり、非接触ＩＣチップとその専用アンテナとを搭載して、電子マネーや電子切符などとして使用可能な機種も多く存在している（特許文献１参照）。
【特許文献１】特開２００６−２２９７３０号公報
【発明の開示】
【発明が解決しようとする課題】
【０００３】
しかしながら、この種の携帯電話装置にあっては、実装スペースやデザインの観点から非接触通信専用のアンテナとカメラ用のレンズとの設置位置が制約されてしまい、同一面上で互いに近い位置に配置されることも多い。このように専用アンテナとカメラ用レンズとが接近していると、非接触通信を行うために専用アンテナを外部機器であるリーダライタに接触させた際に、カメラ用レンズが外部機器に誤って衝突し、カメラレンズを傷つけたり、その取り付け部分を破損したりする危険性が高かった。
【０００４】
この発明の課題は、所定ユニット構成部品を保護しなければ、非接触ＩＣユニットを使用できないようにすることである。
【課題を解決するための手段】
【０００５】
請求項１記載の発明は、外部機器との間で非接触通信を行う非接触ＩＣユニットを有した携帯端末装置であって、前記非接触ＩＣユニットを構成するアンテナの配置位置の近傍に設けられた所定ユニット構成部品が外界から保護されているか否かを判別する判別手段と、この判別手段によって所定ユニット構成部品が保護されていないことが判別された場合に、前記非接触ＩＣユニットの非接触通信動作を無効に設定する設定手段と、を具備したことを特徴とする。
更に、コンピュータに対して、上述した請求項１記載の発明に示した主要機能を実現させるためのプログラムを提供する（請求項１２記載の発明）。
【０００６】
なお、上述した請求項１記載の発明は次のようなものであってもよい。
前記設定手段によって前記非接触ＩＣユニットの非接触通信動作が無効に設定されている状態を報知する報知手段を更に設けた（請求項２記載の発明）。
【０００７】
前記所定ユニット構成部品を外界から保護する保護カバーを有し、前記判別手段は、前記所定ユニット構成部品が前記保護カバーによって保護されているか否かを判別し、前記設定手段は、前記判別手段による判別結果、前記保護カバーによって所定ユニット構成部品が保護されていなければ、前記非接触ＩＣユニットの非接触通信動作を無効に設定し、前記保護カバーによって所定ユニット構成部品が保護されていれば、前記非接触ＩＣユニットの非接触通信動作を有効に設定する（請求項３記載の発明）。
【０００８】
前記非接触ＩＣユニットの非接触通信動作に先立って外部機器からの電磁誘導で当該非接触ＩＣユニットが起動された際に、前記判別手段は、前記所定ユニット構成部品が保護されているか否かを判別する（請求項４記載の発明）。
【０００９】
前記非接触ＩＣユニットを電子マネー機能として使用する場合に、電子マネーに関連するユーザ操作が行われた際に、前記判別手段は、前記所定ユニット構成部品が保護されているか否かを判別する（請求項５記載の発明）。
【００１０】
前記所定ユニット構成部品の保護は、当該ユニットを覆う保護カバーによる保護、突出状態にある当該ユニットを引き込むことによる保護の何れかである（請求項６記載の発明）。
【００１１】
請求項７記載の発明は、外部機器との間で非接触通信を行う非接触ＩＣユニットを有した携帯端末装置であって、前記非接触ＩＣユニットを構成するアンテナの配置位置の近傍に設けられた所定ユニット構成部品が外界から保護されているか否かを判別する判別手段と、この判別手段によって所定ユニット構成部品が保護されていないことが判別されている場合において所定状態が検出された際に、前記所定ユニット構成部品を保護する動作を開始する制御手段と、を具備したことを特徴とする。
更に、コンピュータに対して、上述した請求項７記載の発明に示した主要機能を実現させるためのプログラムを提供する（請求項１３記載の発明）。
【００１２】
なお、上述した請求項７記載の発明は次のようなものであってもよい。
前記所定状態の検出は、外部機器からの電磁誘導による前記非接触ＩＣユニットの起動、ユーザ操作による前記非接触ＩＣユニットの起動の何れかである（請求項８記載の発明）。
【００１３】
前記所定状態の検出は、当該端末装置本体が手で把持されている状態において端末装置本体が下側に向けられたことの検出、端末装置本体が振り下げられたときの加速度変化の検出のうち、少なくともその何れかである（請求項９記載の発明）。
【００１４】
前記所定ユニット構成部品を保護する動作は、当該ユニットを覆う保護カバーを駆動させて保護する動作、突出状態にある当該ユニットを引き込んで保護する動作の何れかである（請求項１０記載の発明）。
【００１５】
請求項１１記載の発明は、外部機器との間で非接触通信を行う非接触ＩＣユニットを有した携帯端末装置であって、前記非接触ＩＣユニットとその近傍に設けられたカメラ構成ユニットとの何れか一方を選択的に覆い、かつ、電磁波の透過を防止する電磁波シールド部材によって構成された保護カバーが前記非接触ＩＣユニットを覆っているか、前記所定ユニット構成部品を覆っているかを判別する判別手段と、この判別手段による判別結果に応じた処理を実行する処理実行手段と、を具備したことを特徴とする。
更に、コンピュータに対して、上述した請求項１１記載の発明に示した主要機能を実現させるためのプログラムを提供する（請求項１４記載の発明）。
【発明の効果】
【００１６】
この発明によれば、所定ユニット構成部品を保護しなければ、非接触ＩＣユニットを使用することができず、非接触ＩＣユニットの使用時にカメラレンズを傷つけたり、その取り付け部分を破損したりすることを確実に防止することができる。
【発明を実施するための最良の形態】
【００１７】
（実施形態１）
以下、図１〜図３を参照して本発明の第１実施形態を説明する。
この実施形態は、携帯端末装置として携帯電話装置に適用した場合を例示したもので、図１は、この携帯電話装置の外観図である。
携帯電話装置は、例えば、装置本体１を構成する２つの長方形の筐体（操作部筐体、表示部筐体）が開閉可能に取り付けられた折り畳み自在なもので、通話機能（音声電話機能）、電子メール機能、インターネット接続機能（Ｗｅｂアクセス機能）、カメラ機能、非接触ＩＣカード機能などを備え、図１は、長方形の各筐体を閉じた状態（クローズスタイル）において装置本体１を横長に向けた状態を示している。
【００１８】
装置本体１の外表面（例えば、表示部筐体の外表面）には底浅状の段部２が形成されている。この段部２は、装置本体１を横長に向けた状態で横長となるもので、その段部２内において図中、左側領域には所定ユニット構成部品として、カメラ機能を構成するカメラ構成ユニットのレンズ３及びフラッシュ４が配置され、また、その右側領域には非接触ＩＣカード機能を構成する非接触ＩＣユニットのアンテナ５が配置されている。すなわち、段部２内にはカメラ構成ユニットのレンズ３と非接触ＩＣユニットのアンテナ５とが近い位置に配置されている。
【００１９】
また、この段部２の内壁面にはレール用の溝２ａが形成されており、この溝２ａを介して保護カバー６がスライド可能に取り付けられている。保護カバー６は、硬質な板部材から構成され、カメラ構成ユニットの不使用時にそのレンズ２などを覆うことによって外界からカメラ構成ユニットを保護するもので、その横サイズは、段部２の長さの略１／２の大きさとなっている。これによって保護カバー６は、そのスライド移動によって非接触ＩＣユニットとその近傍に設けられたカメラ構成ユニットとの何れか一方を選択的に覆うようにしている。なお、保護カバー６は電磁波を透過することが可能な部材によって構成されている。
【００２０】
図１（１）は、保護カバー６を段部２の図中左側に位置させた状態を示し、保護カバー６を非接触ＩＣユニットのアンテナ５側に位置させることによってレンズ２が外部に露出した状態（カメラオープン状態）となる。図１（２）は、保護カバー６を段部２の図中右側に位置させた状態を示し、保護カバー６がレンズ２側に位置させることによってレンズ２が覆い隠された状態（カメラクローズ状態）となる。このカメラオープン状態（開）とカメラクローズ状態（閉）との変更は、保護カバー６をユーザ操作によって移動させることによって可能となっている。カバー開閉センサ７は、光センサ、マイクロスイッチなどによって構成され、保護カバー６の位置に応じてカメラオープン状態にあるか、カメラクローズ状態にあるかの検出を行う。なお、装置本体１設けられているサイドキー８は、カメラ構成ユニットが使用可能な状態においてシャッターボタンとして機能する。
【００２１】
図２は、携帯電話装置の基本的な構成要素を示したブロック図である。
ＣＰＵ１１は、記憶部１２内の各種のプログラムに応じて携帯電話装置の全体動作を制御する中核的な中央演算処理装置である。記憶部１２は、内部メモリであり、プログラム領域とデータ領域とを有し、このプログラム領域には、後述する図３に示す動作手順に応じて本実施形態を実現するためのプログラムが格納されている。記録メディア１３は、着脱自在な可搬型メモリで、例えば、ＳＤカード、ＩＣカードなどによって構成されている。メモリ１４は、ワーク領域を有する内部メモリである。
【００２２】
無線通信部１５は、無線部、ベースバンド部、多重分離部などを備え、例えば、通話機能、電子メール機能、インターネット接続機能の動作時などで最寄りの基地局との間でデータの送受信を行うもので、通話機能の動作時にはベースバンド部の受信側から信号を取り込んで受信ベースバンド信号に復調したのち、音声信号処理部１６を介して送話スピーカＳＰから音声出力させ、また、受話マイクＭＣからの入力音声データを音声信号処理部１６から取り込み、送信ベースバンド信号に符号化したのち、ベースバンド部の送信側に与えてアンテナから発信出力させる。
【００２３】
操作部１７は、ダイヤル入力、文字入力、コマンド入力などを行うもので、ＣＰＵ１１は、キー操作部１７からのキー入力信号に応じた処理を実行する。報知部１８は、サウンドスピーカ、ＬＥＤ（発光ダイオード）、振動モータを備え、電話・メール着信時に駆動されて着信報知を行うほか、アラーム報知時にも駆動される。カメラ構成ユニット１９は、静止画撮影のほかに動画撮影も可能なもので、上述したレンズ３、フラッシュ４のほか、撮像素子、その駆動系のほか、測距センサ、光量センサ、アナログ処理回路、信号処理回路、圧縮伸張回路等を備え、光学ズームの調整制御、オートフォーカス時の駆動制御、シャッター駆動制御、露出、ホワイトバランスなどを制御するもので、その撮影画像は、高精細液晶あるいは有機ＥＬなどを使用した表示部２０から表示される。
【００２４】
非接触ＩＣユニット２１は、電子マネー利用機能、交通機関の改札通過機能などの非接触ＩＣカード機能を構成するもので、ＩＣチップ、コイルアンテナを有し、ＩＣリーダライタ付き外部機器３０との間で非接触通信動作（データの送受信動作）を行うようにしている。なお、コイルアンテナは、電波を送受信すると共に、受信電波によって電磁誘導される起電力を非接触ＩＣユニット２１の動作電力とするもので、非接触ＩＣユニット２１は、コイルアンテナからの起電力に基づいて起動状態となる。
【００２５】
非接触ＩＣユニット２１がＩＣリーダライタ付き外部機器３０からの電磁波を受信して起動状態となると、ＣＰＵ１１は、ＩＣリーダライタ付き外部機器３０との間で非接触ＩＣカード処理（電子マネー支払い処理、入退場処理など）を行い、また、非接触ＩＣユニット２１がユーザ操作に応じて起動された場合には、電子マネー残高照会処理などを行う。また、ＣＰＵ１１は、上述のカバー開閉センサ７からの検出信号に基づいてカメラ構成ユニット１９が外界から保護されているか、つまり、非接触ＩＣユニット２１のアンテナ５の近傍に設けられたカメラ構成ユニット１９が保護カバー６によって外界から保護されているか否かを判別し、カメラ構成ユニット１９が保護されていなければ、非接触ＩＣユニット２１の非接触通信動作を無効に設定して、それをロック状態にするようにしている。
【００２６】
次に、この第１実施形態における携帯電話装置の動作概念を図３に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００２７】
図３は、電源投入に伴って実行開始される携帯電話装置の全体動作を示したフローチャートである。
先ず、ＣＰＵ１１は、電源ＯＮ（オン）操作に応じた初期化処理を実行したのち（ステップＡ１）、カバー開閉センサ７をアクセスして保護カバー６はカメラオープン状態であるかをチェックする（ステップＡ２）。ここで、カメラオープン状態であれば、非接触ＩＣユニット２１の非接触通信動作を無効に設定してロック状態としたのち（ステップＡ３）、報知部１８を駆動してロック状態を報知するほか、ロックアイコン表示を行わせる（ステップＡ４）。そして、待ち受け処理に移り（ステップＡ５）、電話通信部５を作動させて現在位置を登録すると共に、所定の待受画像を読み出して表示出力させながら電話の着信待ち受け状態となる。この待ち受け状態において電話着信を検出すると（ステップＡ６でＹＥＳ）、着信メロディなどを発生出力させる着信報知を行って通話可能状態とする通話処理を実行する（ステップＡ７）。
【００２８】
待ち受け状態において保護カバー６を開閉させるユーザ操作が行われると（ステップＡ８でＹＥＳ）、カバー開閉センサ７からの検出信号に基づいてカメラクローズ状態からカメラオープン状態への変化（閉から開への変化）であるかを調べる（ステップＡ９）。いま、保護カバー６を閉から開に変化させた場合、つまり、図１（２）の状態から図１（１）の状態に変化させた場合には（ステップＡ９でＹＥＳ）、非接触ＩＣユニット２１の非接触通信動作を無効に設定してそれをロックしたのち（ステップＡ１０）、報知部１８を駆動してそのロック状態を報知するほか、ロックアイコン表示を行わせる（ステップＡ１１）。その後、上述のステップＡ２に戻ってカメラオープン状態であるかを調べる。
【００２９】
また、保護カバー６を“開”から“閉”に変化させた場合、つまり、図１（１）の状態から図１（２）の状態に変化させた場合には（ステップＡ９でＮＯ）、非接触ＩＣユニット２１に対する自動ロック解除の設定有無を調べる（ステップＡ１２）。この自動ロック解除設定は、保護カバー６の現在位置に応じて非接触ＩＣユニット２１を自動的にロックする機能を解除することを示す解除設定であり、この自動ロック解除が予め設定されていれば、非接触ＩＣユニット２１のロック状態を解除したのち（ステップＡ１３）、上述のステップＡ２に戻る。なお、上述したロックアイコン表示は、ロック解除に応じて非表示となる。
【００３０】
一方、ＩＣリーダライタ付き外部機器３０からの電磁誘導で非接触ＩＣユニット２１が起動されたときには（ステップＡ１４でＹＥＳ）、カバー開閉センサ７をアクセスしてカメラオープン状態であるかを調べ（ステップＡ１５）、カメラクローズ状態であれば、ＩＣカード処理を実行したのち（ステップＡ１６）、上述のステップＡ２に戻るが、カメラオープン状態であれば（ステップＡ１５でＹＥＳ）、カメラクローズ状態に変更すべきことをアラーム報知すると共にその旨をメッセージ表示させたのち（ステップＡ２０）、上述のステップＡ２に戻る。
【００３１】
また、外部機器３０からの電磁誘導によって非接触ＩＣユニット２１が起動されていなければ（ステップＡ１４でＮＯ）、何らかの操作が行われたかを調べる（ステップＡ１７）。ここで、電子マネーに関連するユーザ操作として、例えば、非接触ＩＣユニット２１のロック状態を解除する操作、あるいは電子マネー残高を照会する操作などが行われた場合には（ステップＡ１８でＹＥＳ）、カバー開閉センサ７をアクセスしてカメラオープン状態かを調べ（ステップＡ１９）、カメラオープン状態であれば、カメラクローズ状態に変更すべきことをアラーム報知すると共にその旨をメッセージ表示させたのち（ステップＡ２０）、上述のステップＡ２に戻る。なお、その他の操作が行われたときには（ステップＡ１８でＮＯ）、その操作に対応する処理の実行に移る（ステップＡ２１）。
【００３２】
以上のように、この第１実施形態においてＣＰＵ１１は、非接触ＩＣユニット２１を構成するアンテナ５の配置位置の近傍に設けられたカメラ構成ユニット１９が外界から保護されているか否かを判別し、カメラ構成ユニット１９が保護されていない場合には、非接触ＩＣユニット２１の非接触通信動作を無効に設定するようにしたので、非接触ＩＣユニット２１を外部機器３０に接近させて非接触ＩＣ通信を行おうとしても、それを使用することができないことから、その非接触ＩＣユニッ２１の近傍位置に配置されて剥き出し状態にあるカメラ構成ユニット１９を外部機器３０にぶつけてカメラレンズ３を傷つけたり、その取り付け部分を破損したりすることを未然に回避することができる。言い換えれば、カメラ構成ユニット１９を保護しなければ、非接触ＩＣユニット２１を使用することができず、非接触ＩＣユニット２１を使用する際にはカメラ構成ユニット１９を保護することができる。
【００３３】
非接触ＩＣユニット２１の非接触通信動作が無効に設定されている状態を報知するようにしたので、を保護しなければ、非接触ＩＣユニット２１を使用することができないことを知ることができる。
【００３４】
保護カバー６によってカメラ構成ユニットが保護されていなければ、非接触ＩＣユニット２１の非接触通信動作を無効（ロック）に設定し、保護カバー６によってカメラ構成ユニット１９が保護されていれば、非接触ＩＣユニット２１の非接触通信動作を有効（ロック解除）に設定するようにしたので、保護カバー６に連動して非接触ＩＣユニット２１のロック／ロック解除が可能となる。
【００３５】
非接触ＩＣユニット２１の非接触通信動作に先立って、ＩＣリーダライタ付き外部機器３０からの電磁誘導で当該非接触ＩＣユニット２１が起動された際に、カメラ構成ユニット１９が保護されているか否かを判別するようにしたので、非接触ＩＣユニット２１を使用するタイミングでカメラ構成ユニット１９を保護することができる。
【００３６】
非接触ＩＣユニット２１を電子マネー機能として使用する場合に、電子マネーに関連するユーザ操作が行われた際に、カメラ構成ユニット１９が保護されているか否かを判別するようにしたので、非接触ＩＣユニット２１を使用するタイミングでカメラ構成ユニット１９を保護することができる。
【００３７】
なお、上述した第１実施形態においては、カメラ構成ユニット１９を覆う保護カバー６によって当該ユニット１９を保護するようにしたが、カメラ構成ユニット１９の保護はこれに限らず、例えば、カメラ構成ユニット１９を進退動可能に構成し、装置本体１の外表面から突出している状態から内部に引き込んだ状態とすることによってカメラ構成ユニット１９を保護するようにしてもよい。
【００３８】
（実施形態２）
以下、この発明の第２実施形態について図４〜図６を参照して説明する。
なお、上述した第１実施形態においては、カメラ構成ユニット１９が保護されていない場合には、非接触ＩＣユニット２１の非接触通信動作を無効に設定するようにしたが、この第２実施形態においては、カメラ構成ユニット１９が保護されていない場合において所定状態が検出した際に、カメラ構成ユニット１９を保護する動作を開始するようにしたものである。
ここで、両実施形態において基本的あるいは名称的に同一のものは、同一符号を付して示し、その説明を省略すると共に、以下、第２実施形態の特徴部分を中心に説明するものとする。
【００３９】
図４は、第２実施形態における携帯電話装置の特徴的な構成要素を示したブロック図である。
この第２実施形態の携帯電話装置は、図示省略したが、第１実施形態と同様に、ＣＰＵ１１、記憶部１２、記録メディア１３、メモリ１４、無線通信部１５、音声信号処理部１６、受話マイクＭＣ、送話スピーカＳＰ、操作部１７、報知部１８、カメラ構成ユニット１９、表示部２０、非接触ＩＣユニット２１、フラッシュ４４、カバー開閉センサ７を有しているが、更に、この第２実施形態では、保護カバー６を駆動するカバー駆動部２２と、装置本体１の両側に配置した両側部センサ２３と、装置本体の向きを検出するほか、その加速度変化を検出する加速度センサ２４を有している。
【００４０】
カバー駆動部２２は、例えば、保護カバー６の一端部に一方向（例えば、図１の左側方向）に引っ張るバネを設け、このバネに抗して保護カバー６を反対方向（例えば、図１の右側方向）にモータ駆動で引っ張ることで保護カバー６をスライド移動させるようにしている。図５は、両側部センサ２３を説明するための図で、両側部センサ２３は、装置本体１の両側にそれぞれ配置されたもので、装置本体１を手で把持した際に人体を介して当該両側部センサ２３が電気的に導通することによって装置本体１が把持されたことを検出するようにしている。加速度センサ２４は、非接触ＩＣユニット２１のアンテナ５が配置されている面（アンテナ面）が下側に向いていることを検出したり、このアンテナ面が下側に向いている状態での加速度変化を検出したりするようにしている。
【００４１】
図６は、第２実施形態において電源投入に伴って実行開始される携帯電話装置の全体動作を示したフローチャートである。
先ず、ＣＰＵ１１は、上述した第１実施形態と同様に、電源ＯＮ（オン）操作に応じた初期化処理を実行したのち（ステップＢ１）、待ち受け処理に移り（ステップＢ２）、電話通信部５を作動させて現在位置を登録すると共に、所定の待受画像を読み出して表示出力させながら電話の着信待ち受け状態となる。この待ち受け状態において電話着信を検出すると（ステップＢ３でＹＥＳ）、着信メロディなどを発生出力させる着信報知を行って通話可能状態とする通話処理を実行する（ステップＢ４）。
【００４２】
また、待ち受け状態において何らかの操作が行われると（ステップＢ５でＹＥＳ）、その操作に対応した処理を実行する（ステップＢ６）。また、待ち受け状態においてＩＣリーダライタ付き外部機器３０からの電磁誘導で非接触ＩＣユニット２１が起動されたときには（ステップＢ７でＹＥＳ）、カバー開閉センサ７をアクセスしてカメラオープン状態かを調べ（ステップＢ８）、カメラオープン状態であれば、カバー駆動部２２に対してクローズ指示を与えて保護カバー６を移動させ、カメラオープン状態からクローズ状態に変更させる（ステップＢ９）。そして、ＩＣカード処理を実行したのち（ステップＢ１０）、上述のステップＢ２に戻って待ち受け状態となる。
【００４３】
また、非接触ＩＣユニット２１が起動されていなければ（ステップＢ７でＮＯ）、非接触ＩＣユニット２１のアンテナ５が配置されている面（アンテナ面）が下側に向いているかを加速度センサ２４からの検出信号に基づいて調べ（ステップＢ１１）、アンテナ面が下向きであれば、両側部センサ２３が導通しているか、つまり、手で装置本体１を把持しているかを調べる（ステップＢ１２）。ここで、アンテナ面を下に向けた状態において装置本体１が手で把持されていれば（ステップＢ１２でＹＥＳ）、非接触ＩＣユニット２１を外部機器３０に接近させて非接触ＩＣ通信を行おうとしている可能性が高いと判断して、ステップＢ１３に移り、カバー開閉センサ７をアクセスしてカメラオープン状態にあるかを調べる。
【００４４】
ここで、保護カバー６がカメラクローズ状態にあれば（ステップＢ１３でＮＯ）、上述のステップＢ２に戻って待ち受け状態となるが、カメラオープン状態にあれば（ステップＢ１３でＹＥＳ）、カバー駆動部２２に対してクローズ指示を与えて保護カバー６を移動させ、カメラオープン状態からクローズ状態に変更させたのち（ステップＢ１４）、カメラオープン状態からクローズ状態に変更した旨をアラーム報知させる（ステップＢ１５）。その後、上述のステップＢ２に戻って待ち受け状態となる。
【００４５】
また、アンテナ面を下に向けた状態であっても両側部センサ２３が導通していなければ（ステップＢ１２でＮＯ）、加速度センサ２４からの検出信号に基づいて下方向への加速度変化の有無を調べ（ステップＢ１６）、振り下げられたときの加速度変化を検出したときには、非接触ＩＣユニット２１を外部機器３０に接近させて非接触ＩＣ通信を行おうとしている可能性が高いと判断して、上述のステップＢ１３に移る。ここで、カメラオープン状態であれば、保護カバー６を駆動させてカメラオープン状態からクローズ状態に変更させると共に、アラーム報知を行う（ステップＢ１４、Ｂ１５）。
【００４６】
以上のように、この第２実施形態においてＣＰＵ１１は、非接触ＩＣユニット２１を構成するアンテナ５の配置位置の近傍に設けられたカメラ構成ユニット１９が外界から保護されているか否かを判別し、カメラ構成ユニット１９が保護されていない場合において所定状態が検出された際に、カメラ構成ユニット１９を保護する動作を開始するようにしたので、非接触ＩＣユニッ２１の近傍位置に配置されて剥き出し状態にあるカメラ構成ユニット１９を外部機器３０にぶつけてカメラレンズ３を傷つけたり、その取り付け部分を破損したりすることを未然に回避することができるほか、ユーザが誤って非接触ＩＣユニット２１を使用した場合でもカメラ構成ユニット１９を確実に保護することができる。
【００４７】
所定状態の検出を外部機器３０からの電磁誘導による非接触ＩＣユニット２１の起動としたので、非接触ＩＣユニット２１の起動時にはカメラ構成ユニット１９を確実に保護することができる。
【００４８】
所定状態の検出を装置本体１が手で把持されている状態において装置本体１が下側に向けられたことの検出と装置本体１が振り下げられたときの加速度変化の検出としたので、装置本体１を下側に向けて振り下げた場合に、非接触ＩＣユニット２１を外部機器３０に接近させて非接触ＩＣ通信を行おうとしている可能性が高いと判断してカメラ構成ユニット１９を保護することができる。
【００４９】
カメラ構成ユニット１９を保護する動作を当該ユニット１９を覆う保護カバー６を駆動させて保護する動作としたので、ユーザによる操作が不要となり、確実な保護が可能となる。
【００５０】
なお、上述した第２実施形態においては、所定状態の検出を外部機器３０からの電磁誘導による非接触ＩＣユニット２１の起動としたが、ユーザ操作による非接触ＩＣユニット２１の起動であってもよく、非接触ＩＣユニット２１の起動時にはカメラ構成ユニット１９を確実に保護することができる。
【００５１】
また、上述した第２実施形態においては、カメラ構成ユニット１９を保護する動作を当該ユニット１９を覆う保護カバー６を駆動させて保護する動作としたが、カメラ構成ユニット１９を進退動可能に構成し、装置本体１の外表面から突出している状態から内部に引き込んだ状態とすることによってカメラ構成ユニット１９を保護するようにしてもよい。これによっても特別なユーザ操作が不要となって確実な保護が可能となる。
【００５２】
また、上述した第１及び第２実施形態においては、保護カバー６を非接触ＩＣユニット２１側に位置している状態で非接触ＩＣユニット２１は保護カバー６によって覆われるようになるが、保護カバー６の外表面に非接触ＩＣユニット２１のアンテナ３を配置するようにしてもよい。この場合、内部の非接触ＩＣチップとその専用のアンテナ３とを電気的に接続するようにすればよいが、非接触ＩＣユニット２１自体を保護カバー６の外表面に配置した構成としてもよい。
【００５３】
また、各実施形態に限らず、例えば、非接触ＩＣユニット２１とその近傍に設けられたカメラ構成ユニット１９との何れか一方を選択的に覆い、かつ、電磁波の透過を防止する電磁波シールド部材によって構成された保護カバー６が非接触ＩＣユニット２１を覆っている状態か、カメラ構成ユニット１９を覆っている状態かを判別し、その判別結果に応じた処理を行うようにしてもよい。すなわち、上述した各実施形態において保護カバー６は、図１に示すように装置本体１の外表面に形成した底浅状の段部２にスライド可能に取り付け、そのスライド移動に応じて非接触ＩＣユニット２１とカメラ構成ユニット１９との何れか一方を選択的に覆うようにしたが、この保護カバー６を電磁波の透過を防止する電磁波シールド部材（例えば、銀などのコーティング）によって構成することで、保護カバー６が非接触ＩＣユニット２１を覆っている状態においては外部機器３０からの電磁波を保護カバー６によって遮断する結果、その非接触通信動作を無効とする状態としてもよい。
【００５４】
この場合、上述した第１実施形態と同様に、保護カバー６が非接触ＩＣユニット２１を覆っているのか、カメラ構成ユニット１９を覆っているかの判別結果をメッセージ表示などによって報知するようにしてよく、また、上述した第２実施形態と同様に、保護カバー６を駆動してスライド移動させるようにしてもよい。このように保護カバー６を電磁波シールド部材で構成することで上述した第１及び第２実施形態と同様の効果を有するほか、非接触ＩＣユニット２１の非接触通信動作の無効を機械的に行うことが可能となる。
【００５５】
また、上述した各実施形態においては、装置本体１の外表面に底浅状の段部２を形成して保護カバー６をスライド可能に取り付けたが、保護カバー６は、カメラ構成ユニット１９のレンズ３の前面を覆う構成としてもよい。例えば、レンズ３の前面部分にそれを覆う専用の保護カバーを左右あるいは上下に移動可能に設けるようにしてもよい。
【００５６】
また、上述した各実施形態においては、所定ユニット構成部品として、カメラ機能を構成するカメラ構成ユニットのレンズ３などを例示したが、所定ユニット構成部品は、カメラ構成ユニットの部品に限らず、ユーザ認証ユニットを構成する指紋センサであったり、読み取りユニットを構成する読み取りセンサなどであってよもい。
【００５７】
また、上述した各実施形態においては、折りたたみ式の携帯電話装置に適用した場合を示したが、ストレート型、フリップ型、リボルバー型、回転２軸型など、そのスタイルは任意である。
その他、携帯電話装置に限らず、例えば、カメラ構成ユニット１９及び非接触ＩＣユニット２１を備えたＰＤＡ、デジタルカメラ、電子腕時計、音楽再生機などの携帯端末装置であっても同様に適用可能である。
【図面の簡単な説明】
【００５８】
【図１】携帯端末装置として適用した携帯電話装置の外観図で、（１）は、保護カバー６を段部２の図中左側に位置させた状態を示し、（２）は、保護カバー６を段部２の図中右側に位置させた状態を示した図。
【図２】携帯電話装置の基本的な構成要素を示したブロック図。
【図３】電源投入に伴って実行開始される携帯電話装置の全体動作を示したフローチャート。
【図４】第２実施形態における携帯電話装置の特徴的な構成要素を示したブロック図。
【図５】両側部センサ２３を説明するための図。
【図６】第２実施形態において電源投入に伴って実行開始される携帯電話装置の全体動作を示したフローチャート。
【符号の説明】
【００５９】
１  装置本体
２  段部
３  レンズ
４  フラッシュ
５  アンテナ
６  保護カバー
７  カバー開閉センサ
１１  ＣＰＵ
１２  記憶部
１７  操作部
１８  報知部
１９  カメラ構成ユニット
２０  表示部
２１  非接触ＩＣユニット
２２  カバー駆動部
２３  両側部センサ
２４  加速度センサ
【図１】
0005029991.tif 000002
【図２】
0005029991.tif 000003
【図３】
0005029991.tif 000004
【図４】
0005029991.tif 000005
【図５】
0005029991.tif 000006
【図６】
0005029991.tif 000007